(57)【要約】      （修正有）【課題】切手を湿潤するとき、切手を破損する危険性がなく、水の補給が簡単で、スポンジ内の水分の蒸発が少ない回転式切手湿潤器を提供する。【解決手段】スポンジ取付けローラー１の円筒面全体に等しい小間隔で複数一列に並ぶ小孔を設け、この様な小孔を複数列、各列相互平行に等間隔で設け、スポンジ取付けローラー１の片端側にはキャップ２を設け、他端側は閉じた構造にし、閉じた面の中心部とキャップ２の中心部から相互を結ぶ直線上に軸棒４を取り付ける。スタンド台８の両端に支柱板９を立て、支柱板９にはＵ字形のスポンジ取付けローラー用軸受け５を設け、軸受け５の内側二か所にはストッパーを設ける。スタンド台８にスポンジ取付けローラー１を水平に設置してなる。【選択図】図１
0003216848.tif 000002
【実用新案登録請求の範囲】
【請求項１】
大きくは、スポンジ取付けローラーとスタンド台から成り、スポンジ取付けローラーの円筒面全体に等しい小間隔で複数一列に並ぶ小孔を設け、この様な小孔を複数列、各列相互平行に等間隔で設け、スポンジ取付けローラーの片端側にはキャップを設け、他端側は閉じた構造にし、閉じた面の中心部とキャップの中心部から相互を結ぶ直線上に軸棒を取り付け、スタンド台の両端に支柱板を立て、支柱板にはＵ字形のスポンジ取付けローラー用軸受けを設け、軸受けの内側二か所にはストッパーを設け、スタンド台にスポンジ取付けローラーを水平に設置してなる回転式切手湿潤器。
【考案の詳細な説明】
【技術分野】
【０００１】  本考案は、手紙や封筒に切手を貼るとき郵便局、銀行などで使用されている切手湿潤器を改良した回転式切手湿潤器に関するものである。
【背景技術】
【０００２】  既存のスポンジ式湿潤器では、スポンジを入れる容器の蓋を外したまま使用するために、スポンジ内に吸収されている水分が蒸発しやすく、スポンジ内は乾燥が起こりやすいので水分を頻繁に補給する必要があった。
特許文献１は、上記のようなスポンジ式切手湿潤器の欠点を解消した発明であり、水槽である容器内に収納されたスポンジからの水分の蒸発を防止するため特殊な蓋枠を考案し、容器に蓋枠をしたままでの使用を可能にした。
特許文献２も特許文献１と同様に、スポンジからの水分の蒸発を防止し容器への水の補給回数を大幅に減らすことを可能にした発明であるが、その内部は４〜５層の層構造を有する。
【先行技術文献】
【特許文献】
【０００３】
【特許文献１】実願２００１−１７０１
【特許文献２】特願２００２−３８２６５９
【考案の概要】
【考案が解決しようとする課題】
【０００４】（イ）特許文献１では、係合開閉自在な蓋枠が考案され、水容器に蓋をしたままの状態で使用できる切手湿潤器が考案された。蓋枠には弾性素材の耐水性薄膜が張り巡らされて、その中には複数の切れ目が設けられている。耐水性薄膜を切手で圧迫すると、切れ目から水がしみ出て切手が湿潤される仕組みである。
耐水性薄膜は弾力があるので、切手を湿潤するとき切手で圧迫する力がスポンジと比べかなり大きくなり、切手を破損する危険性がある。また、半密閉状態で長時間使用するので水容器の内部にはカビが繁殖しやすい環境になる。
（ロ）特許文献２は、底部の水容器から最上部の水付けユニットまで４〜５層の層構造よりなる複雑な形状を持っている。
水を補給するときは３〜４層の部分を取り外す必要があり、手間がかかり過ぎる欠点がある。また、内部が層構造なので、吸い上げられた水が最上部の水付けユニットに到着するまでに時間がかかりすぎる。
本考案は、以上の問題点を解決するためになされたものである。
【課題を解決するための手段】
【０００５】（イ）直径約２ｃｍ、長さ約８ｃｍの透明な円筒体の水容器であって、円筒面全体に等しい小間隔で複数一列に並ぶ小孔を設ける。この様な小孔を複数列、各列相互平行に等間隔で設けた円筒体をスポンジ取付けローラーと称する。スポンジ取付けローラーの片端側にキャップを設け、他端側は閉じている構造にする。閉じられた面の中心部とキャップの中心部から相互を結ぶ直線上に軸棒を取り付ける。
（ロ）スポンジ取付けローラーのキャップを外し、水を補給する。キャップをスポンジ取付けローラーにねじ込み、装着したあと、スポンジ取付けローラーの両端はスポンジが被らないようにして円筒形スポンジに挿入する。
（ハ）スタンド台の両端に支柱板を立て、支柱板にはＵ字形のスポンジ取付けローラー用軸受けを設ける。更に軸受けの内側二か所にストッパーを設ける。そのスタンド台にスポンジ取付けローラーを設置する。
本考案は以上の構成よりなる回転式切手湿潤器である。
【考案の効果】
【０００６】（イ）特許文献１、特許文献２の湿潤器は、水容器の底に適量の水を入れた後に長方形スポンジを装着して使用するので、水の残量が把握できないため補給のタイミングが分かりにくかったが、回転式切手湿潤器では、水容器のスポンジに覆われていない端の部分より水の残量を常時確認でき、水を補給するタイミングを簡単に把握できる。
（ロ）本考案湿潤器はスポンジが表に全面露出しているので、特許文献１、特許文献２の湿潤器と比較して通気性が非常に良く、カビの繁殖は皆無である。また、切手をスポンジの上で転がすようにして湿潤するので、切手にダメージを与えることが全くない。また、湿潤したあと切手をスポンジから剥離するのが容易である。
【図面の簡単な説明】
【０００７】
【図１】本考案の全体斜視図である。
【図２】本考案の全体正面図である。
【図３】スポンジ取付けローラー用軸受けの拡大図である。
【図４】キャップを外したときのスポンジ取付けローラーの斜視図である。
【図５】円筒形スポンジの斜視図である。
【図６】スポンジ取付けローラーに水を補給する場合の実施図である。
【図７】切手をスポンジ取付けローラーのスポンジ上で湿潤する際の実施図である。
【考案を実施するための形態】
【０００８】以下、本考案の実施の形態を説明する。
（イ）スポンジ取付けローラー（１）の円筒面全体に等しい小間隔で複数一列に並ぶ小孔（３）を複数列、各列相互平行に等間隔で設ける。
（ロ）スポンジ取付けローラー（１）の片端側にキャップ（２）を設け、他端側は閉じた構造にする。閉じた面の中心部とキャップ（２）の中心部から相互を結ぶ直線上に軸棒（４）を取り付ける。
（ハ）スタンド台（８）の両端に支柱板（９）を立て、支柱板（９）にはＵ字形のスポンジ取付けローラー用軸受け（５）を設ける。更に軸受け（５）の内側二か所にはストッパー（６）を設ける。そのスタンド台（８）にスポンジ取付けローラー（１）を水平に設置する。
本考案は、以上のような構造である。
本考案を使用する場合は、スポンジ取付けローラー（１）を円筒状スポンジ（７）に挿入する。スポンジ取付けローラー（１）のキャップ（２）を外し、蛇口（１０）から水をスポンジ取付けローラー（１）に容積の８０％ほど補給したあと、キャップ（２）を本体にねじ込み、スタンド台に水平に設置する。
切手（１１）をスポンジ取付けローラーの円筒状スポンジ（７）で覆われて、水が浸透している部分にあて、転がしながら湿潤する。
【符号の説明】
【０００９】１  スポンジ取付けローラー、２  スポンジ取付けローラーキャップ、
３  スポンジ取付けローラー小孔、４  スポンジ取付けローラー軸、５  軸受け、
６  軸受けストッパー、７  円筒状スポンジ、８  スタンド台、９  スタンドの支柱板、１０  蛇口、１１  切手
【図１】
0003216848.tif 000003
【図２】
0003216848.tif 000004
【図３】
0003216848.tif 000005
【図４】
0003216848.tif 000006
【図５】
0003216848.tif 000007
【図６】
0003216848.tif 000008
【図７】
0003216848.tif 000009